(57)【要約】      （修正有）【課題】反転する部位の面積を大幅に確保することにより、材料自体の伸張による膨張を飛躍的に減らすことができ、結果として操作抵抗を従来よりも飛躍的に低減できるブーツを提供する。【解決手段】ジャバラ部１と、該ジャバラ部の一端に連続して形成される筒状の空気溜め部３とからなり、コントロールケーブルのガイドパイプ７とガイドロッド８との相対的な動きを許しながら両者間の空隙を閉じるように取り付けられる合成樹脂製の柔軟な材料またはゴムからなる薄膜のブーツ１であって、その両端にはそれぞれ前記コントロールケーブルのガイドパイプに密に嵌着された開口５と、前記ガイドロッドの端部に密に嵌着された開口６が設けられ、前記空気溜め部が、放射状に張り出し、かつ互いに連通した少なくとも３つの区画からなることを特徴としている。【選択図】図１
0003119115.tif 000002
【実用新案登録請求の範囲】
【請求項１】
ジャバラ部と、
該ジャバラ部の一端に連続して形成される筒状の空気溜め部と
からなり、コントロールケーブルのガイドパイプとガイドロッドとの相対的な動きを許しながら両者間の空隙を閉じるように取り付けられる合成樹脂製の柔軟な材料またはゴムからなる薄膜のブーツであって、
その両端にはそれぞれ前記コントロールケーブルのガイドパイプに密に嵌着された開口と、前記ガイドロッドの端部に密に嵌着された開口が設けられ、
前記空気溜め部が、放射状に張り出し、かつ互いに連通した少なくとも３つの区画からなる
ことを特徴とするブーツ。
【請求項２】
前記空気溜め部が、放射状に張り出し、かつ互いに連通した４つの区画からなり、その断面形状が略十字状である請求項１記載のブーツ。
【請求項３】
前記４つの区画の隣り合う区画同士が前記空気溜め部の軸線方向に延びる凹面を介して連結されてなる請求項１または２記載のブーツ。
【考案の詳細な説明】
【技術分野】
【０００１】
本考案はコントロールケーブル用のブーツに関する。さらに詳しくは、車両の変速操作装置やアクセルアクチュエータなどに用いられるコントロールケーブルのアウターケーシング内の防水、防塵のための伸縮自在のブーツに関する。
【背景技術】
【０００２】
特許文献１に開示されたブーツは、薄膜の柔軟材料からなり、ジャバラ部を有するが、空気溜め部には、その膜が内側へ湾曲している溝が軸方向に複数本形成されている。この溝は膨張しやすくするために設けられたものである。ガイドロッドが引き込まれると、空気溜め部は半径方向に膨張する。逆にガイドロッドが押し出されると空気溜め部は半径方向に収縮する。
【０００３】
特許文献１に開示されたブーツは、ガイドロッドの引き込み時に内圧の上昇により前記溝が平坦に延ばされ、内部体積が拡大する。
【０００４】
したがって、内部圧力の上昇は多少吸収されるが、内部圧力が負圧になるばあいは複数の溝がリブの役目を果して変形しにくく、負圧を吸収する効果が少ない。
【０００５】
特許文献２に開示されたブーツは、特許文献１の問題を解決するためになされたものであり、ガイドロッドのストロークに伴って即座に変形し、それによって内部圧力の増減を小さく抑えることができるため、必要な操作力を小さくしうるコントロールケーブル用のブーツを提供することを目的としている。
【０００６】
図１に示されるように、特許文献２記載のブーツ１は、ジャバラ部２と、円筒状の空気溜め部３とは連続に構成されている。空気溜め部３は、その膜が内側へ湾曲している凹部４が、９０°ピッチで外周に４個所形成されている（図２参照）。
【０００７】
そして、ブーツ１の両端には、それぞれコントロールケーブルのガイドパイプ７に密に嵌着される開口５およびガイドロッド８の端部に密に嵌着される開口６が形成されている。
【０００８】
また、コントロールケーブルの操作抵抗を減少させるために、ガイドロッド８の出入に伴なうブーツの内部体積の変化率が、ブーツ単独の自由状態を１として０．８０〜１．１５となるように構成されている。
【０００９】
叙上のごとくコントロールケーブルに装着されたブーツ１は、ガイドロッド８の突出に伴なってジャバラ部２が伸長する。その動きは、ブーツが密封に近い状態にあるためブーツ内を負圧にする。そのため外部圧力によって、空気溜め部３が前記凹部４を起点として内側へつぶれて、内外の圧力を均一化しようとする。
【００１０】
逆にガイドロッド８が引き込まれたときは、ジャバラ部２が収縮し、その内部空気が空気溜め部３へ送り込まれる。それに伴ない空気溜め部３の前記凹部４が外側へ即座に反転して凸状になり、内部体積を増加し、内部圧力の上昇を防止する。
【００１１】
すなわち、特許文献２のブーツは、空気溜め部が、材料自体の伸長による膨張ではなく、膜の折れ曲り（凹部の反転）による変形によって即座に体積増加するのであり、また複数の前記凹部が起点となって即座に均一につぶれて収縮しうる。それによって空気溜め部の形状がガイドロッド８の出入による内部圧力の変動に追随しうるようになり、操作抵抗が小さくなるものである。
【００１２】
なお凹部の個数、寸法などについては、たとえば空気溜め部の直径をＤ、長さをＬとすれば、個数は２〜６、長径は１／３・Ｌ〜Ｌ、短径はπ・Ｄ／１０〜π・１０／３、深さは１〜３ｍｍの範囲であればよい。とくに体積変化を前述のごとく０．８０〜１．１５とするために、たとえば直径が２８ｍｍ、長さが３０ｍｍの空気溜め部のばあいは、凹部の個数は３〜５、長径は１５〜２５ｍｍ、短径は８〜１５ｍｍ、深さは１．０〜２．０ｍｍとするのが好ましい。なぜなら体積変化が１（体積変化がない）に近いほどよいが、逆に０．８未満または１．１５を超えるばあい（従来のものはそれぞれ０．６３および１．２１程度であった）、大きい操作抵抗のため、スムーズな操作を行なうことがむずかしく、またブーツなどの、装置の構成部品の寿命を短縮するという問題があるからである。
【００１３】
特許文献２のブーツの材料としては、ＥＰＤＭ（エチレンプロピレンゴム）、ＣＲ（クロロプレンゴム）、シリコーンゴムなどを用いることができる、とくにＥＰＤＭやＣＲが好ましいとしている。また材料の肉厚はジャバラ部が０．８〜１．２ｍｍ、空気溜め部が０．５〜１．２ｍｍ、凹部が０．５〜１．０ｍｍの範囲で使用しうるが、とくにジャバラ部は０．８〜１．０ｍｍ、空気溜め部は０．７〜１．０ｍｍ、凹部は０．５〜０．８ｍｍが好ましいとしている。さらに、材料の硬度はＨｓ３５〜Ｈｓ５０のものが用いられ、とくにＨｓ３５〜Ｈｓ４０のものが好ましいとしている。
【００１４】
【特許文献１】米国特許第４０５８０１８号明細書
【特許文献２】実用新案登録第２５６７９８９号公報
【考案の開示】
【考案が解決しようとする課題】
【００１５】
しかしながら、前述の特許文献２記載のブーツの場合、反転する凹部の面積を確保するには制限があり、面積を充分に確保することは困難であり、そのうえ材料自体の伸張による膨張も考慮せざるを得ない。その結果、操作抵抗を充分に下げることができないという問題がある。
【００１６】
本考案は、かかる従来のブーツの問題を解消し、反転する部位の面積を大幅に確保することにより、材料自体の伸張による膨張を飛躍的に減らすことができ、結果として操作抵抗を従来よりも飛躍的に低減できるブーツを提供することを目的とするものである。
【課題を解決するための手段】
【００１７】
本考案のブーツは、ジャバラ部と、
該ジャバラ部の一端に連続して形成される筒状の空気溜め部と
からなり、コントロールケーブルのガイドパイプとガイドロッドとの相対的な動きを許しながら両者間の空隙を閉じるように取り付けられる合成樹脂製の柔軟な材料またはゴムからなる薄膜のブーツであって、
その両端にはそれぞれ前記コントロールケーブルのガイドパイプに密に嵌着された開口と、前記ガイドロッドの端部に密に嵌着された開口が設けられ、
前記空気溜め部が、放射状に張り出し、かつ互いに連通した少なくとも３つの区画からなる
ことを特徴としている。
【００１８】
また、前記空気溜め部が、放射状に張り出し、かつ互いに連通した４つの区画からなり、その断面形状が略十字状であることが好ましい。
【００１９】
また、前記４つの区画の隣り合う区画同士が前記空気溜め部の軸線方向に延びる凹面を介して連結されてなることが好ましい。
【考案の効果】
【００２０】
本考案によれば、材料自体の伸張による膨張を飛躍的に減らすことができ、結果として操作抵抗を従来よりも飛躍的に低減できるブーツを提供することができる。
【考案を実施するための最良の形態】
【００２１】
本考案のブーツを添付図面を参照しながら以下に詳細に説明する。
【００２２】
図３は本考案のブーツの一例を示す断面説明図、図４は図３のブーツのＡ−Ａ線断面図である。
【００２３】
図３〜４を参照すると、本考案のブーツ１は、ジャバラ部２と、ジャバラ部２の一端に連続して形成される筒状の空気溜め部３とから構成されている。
【００２４】
そして、ブーツ１の両端には、それぞれコントロールケーブルのガイドパイプ７（図１参照）に密に嵌着するための開口５と、ガイドロッド８（図１参照）の端部に密に嵌着するための開口６が設けられている。
【００２５】
本実施の形態において、空気溜め部３は、放射状に張り出し、かつ互いに連通した４つの区画３ａ、３ｂ、３ｃおよび３ｄから構成されており、空気溜め部３の断面形状は略十字状を呈している。そして、前述のジャバラ部２と、空気溜め部３とは一体的に構成されている。しかしながら、空気溜め部３を構成する区画の数は４に限られることはなく、３でもよく、また、５〜８でもよい。
【００２６】
本実施の形態においては、空気溜め部３の区画３ａ、３ｂ、３ｃおよび３ｄは９０°ピッチで設けられており（図４参照）、区画３ａ、３ｂ、３ｃおよび３ｄ同士の連結部Ｃには凹面状の曲面が形成されている。
【００２７】
ブーツ１の材料としては、前述の特許文献２のブーツと同様に、ＥＰＤＭ（エチレンプロピレンゴム）、ＣＲ（クロロプレンゴム）、シリコーンゴムなどを用いることができる、とくにＥＰＤＭやＣＲが好ましい。また材料の肉厚はジャバラ部２が０.７〜１.５ｍｍ、空気溜め部３が０.５〜１.２ｍｍの範囲で使用することができるが、とくにジャバラ部２は０.８〜１.３ｍｍ、空気溜め部３は０.７〜１．１ｍｍが好ましい。さらに、材料の硬度はＨｓ３５〜Ｈｓ５０のものが用いられ、とくにＨｓ３５〜Ｈｓ４０のものが好ましい。
【００２８】
前述の特許文献２と同様に、コントロールケーブルの操作抵抗を減少させるためには、ガイドロッド８（図１参照）の抜き差しに伴なうブーツ１の内部体積の変化率が、ブーツ１の単独の自由状態を１としたときに、０．８０〜１．１５となるように構成することが好ましい。
【００２９】
本考案のブーツの特徴は、特許文献２と同様に、空気溜め部３が、空気溜め部３の合成樹脂材料自体の伸長による膨張ではなく、空気溜め部３を構成する薄膜の折れ曲り（とりわけ、区画３ａ、３ｂ、３ｃ、３ｄの任意の隣り合う区画間の部位の反転）による変形によって即座に体積増加が達成され、また複数の前記凹部が起点となって即座に均一につぶれて収縮しうることであり、これにより空気溜め部３の形状がガイドロッド８の抜き差しによる内部圧力の変化に容易に追随することができることである。そのうえ、さらに特許文献２の凹部に対応する区画３ａ、３ｂ、３ｃ、３ｄの任意の隣り合う区画間の部位の面積を大幅に確保することができるので、操作抵抗を実質的に零とすることができるのである。
【００３０】
本考案を実施例に基づいてさらに詳細に説明する。しかしながら、本考案は、実施例に限定されるものではない。
【実施例】
【００３１】
比較例１
図１にかかわるブーツ１の両端に設けられた開口５、６それぞれに、コントロールケーブルのガイドパイプ７と、ガイドロッド８を挿通して、ガイドパイプ７を固定した状態で、ブーツ１のジャバラ部２が収縮する方向へガイドロッド８を「押し」操作およびブーツ１のシャバラ部２が伸長する方向へ「引き」操作（変位はいずれも±３０ｍｍ）をストローク速度１５ｍｍ／常温下および低温（−３０℃）下で３回行い、作動抵抗値を測定した。結果は、図６に示すとおりである。図６から、グラフの左側（すなわち、「押し」操作の領域）では作動抵抗が減少しているが、グラフの右側（すなわち、「引き」操作の領域）では作動抵抗が漸増していることが分かった。
【００３２】
実施例１
図３にかかわるブーツ１を、比較例１と同様に、ブーツ１の両端に設けられた開口５、６それぞれに、コントロールケーブルのガイドパイプ７と、ガイドロッド８を挿通して、ガイドパイプ７を固定した状態で、ガイドロッド８をブーツ１のジャバラ部２が収縮する方向へ「押し」操作（変位は１７．７ｍｍ）およびブーツ１のシャバラ部２が伸長する方向へ「引き」操作（変位は２６．１ｍｍ）を常温下および低温（-３０℃）下で３回行い、作動抵抗値を測定した。結果は、図５に示すとおりである。図５から、作グラフの左側（すなわち、「押し」操作の領域）およびグラフの右側（すなわち、「引き」操作の領域）とも作動抵抗に差がなく、かつ作動抵抗値が−０．０５〜０．２ｋｇｆの範囲であることが分かった。
【図面の簡単な説明】
【００３３】
【図１】従来のブーツの一例を示す断面説明図である。
【図２】図１のブーツの空気溜め部の断面説明図である。
【図３】本考案のブーツの一例を示す断面説明図である。
【図４】図３のブーツのＡ−Ａ線断面図である。
【図５】本考案のブーツの荷重抵抗とストロークとの関係を示すグラフである。
【図６】従来のブーツの荷重抵抗とストロークとの関係を示すグラフである。
【符号の説明】
【００３４】
１                    ブーツ
２                    ジャバラ部
３                    空気溜め部
３ａ、３ｂ、３ｃ、３ｄ  区画
Ｃ                    連結部
【図１】
0003119115.tif 000003
【図２】
0003119115.tif 000004
【図３】
0003119115.tif 000005
【図４】
0003119115.tif 000006
【図５】
0003119115.tif 000007
【図６】
0003119115.tif 000008
【手続補正書】
【提出日】平成17年12月1日(2005.12.1)
【手続補正１】
【補正対象書類名】図面
【補正対象項目名】図５
【補正方法】変更
【補正の内容】
【図５】
0003119115.tif 000009
【手続補正２】
【補正対象書類名】図面
【補正対象項目名】図６
【補正方法】変更
【補正の内容】
【図６】
0003119115.tif 000010